(57)【要約】【課題】防音パネルの表面および裏面の少なく一方の面に、緑化パネル等のパネル構造体を防音パネルに何らの加工を施すことなく、容易かつ確実に取り付けることができる多目的防音壁を提供する。【解決手段】上下に積み重ねられた防音パネル１Ａ、１Ｂと、防音パネル１Ａ、１Ｂの表面および裏面に、取付金具８を介して取り付けられたパネル構造体としての金網７とからなる多目的防音壁において、取付金具８は、防音パネル１Ａ、１Ｂの表面側および裏面側から突出する突出片９、１０を有し、取付金具８は、下段の前記防音パネル１Ａと上段の防音パネル１Ｂとの当接面間に挟み込まれ、金網７は、突出片９、１０を介して防音パネル１Ａ、１Ｂに取り付けられている。【選択図】図１
2010248829.tif 000002
【特許請求の範囲】
【請求項１】
上下多段に積み重ねられた防音パネルと、前記防音パネルの表面および裏面の少なくとも一方の面に、取付金具を介して取り付けられたパネル構造体とからなる多目的防音壁において、
前記取付金具は、前記防音パネルの表面側および裏面側の少なくとも一方から突出する突出片を有し、前記取付金具は、下段の前記防音パネルと上段の前記防音パネルとの当接面間に挟み込まれ、前記パネル構造体は、前記突出片を介して前記防音パネルに取り付けられていることを特徴とする多目的防音壁。
【請求項２】
前記取付金具は、板状で、前記当接面間に挟み込まれる当接部を有し、前記当接部は、前記当接面と合致する形状に形成され、前記当接部の少なくとも一方の幅方向端部には、垂直部が形成され、前記当接部と前記垂直部との接合部は折れ曲がっており、前記突出片は、前記取付金具の少なくとも一方の幅方向端部に形成されていることを特徴とする、請求項１に記載の多目的防音壁。
【請求項３】
前記取付金具は、複数枚重ね合わされていることを特徴とする、請求項２に記載の多目的防音壁。
【請求項４】
前記取付金具は、二分割され、一方の取付金具には、前記防音パネルの表面側から突出する突出片が形成され、他方の取付金具には、前記防音パネルの裏面側から突出する突出片が形成され、前記一方の取付金具および前記他方の取付金具の前記当接部は、重ね合わされていることを特徴とする、請求項２または３に記載の多目的防音壁。
【請求項５】
前記一方の取付金具および前記他方の取付金具は、それぞれ複数枚重ね合わされていることを特徴とする、請求項４に記載の多目的防音壁。
【請求項６】
前記当接部と前記垂直部側の前記突出片とは、着脱可能に分割されていることを特徴とする、請求項２から５の何れか１つに記載の多目的防音壁。
【請求項７】
前記パネル構造体は、縦桟と横桟とを格子状に組んだものからなり、前記パネル構造体は、前記縦桟を前記突出片に穿孔した挿通孔に通すことによって、前記防音パネルに取り付けられていることを特徴とする、請求項１から６の何れか１つに記載の多目的防音壁。
【請求項８】
前記パネル構造体に、植栽手段、広告手段、標識等の表示手段、または、ソーラーパネル等の太陽光発電手段が取り付けられていることを特徴とする、請求項１から７の何れか１つに記載の多目的防音壁。
【請求項９】
前記パネル構造体は、板状に形成され、板状の前記パネル構造体の上下端には、突起を有し、前記パネル構造体は、前記突起を前記突出片に穿孔した挿通孔に通すことによって、前記防音パネルに取り付けられていることを特徴とする、請求項１から６の何れか１つに記載の多目的防音壁。
【請求項１０】
前記パネル構造体は、植栽手段、広告手段、標識等の表示手段、ソーラーパネル等の太陽光発電手段であることを特徴とする、請求項９に記載の多目的防音壁。
【請求項１１】
前記パネル構造体は、湾曲可能で復元力を有していることを特徴とする、請求項９または１０に記載の多目的防音壁。
【発明の詳細な説明】
【技術分野】
【０００１】
この発明は、多目的防音壁、特に、防音パネルの表面および裏面の少なく一方の面に、緑化パネル等のパネル構造体を防音パネルに何らの加工を施すことなく、容易かつ確実に取り付けることができる多目的防音壁に関するものである。
【背景技術】
【０００２】
通常、幹線道路や鉄道沿線には、騒音対策として防音壁が構築されている。例えば、防音壁は、所定の間隔で列設された支柱と支柱間に配置される防音パネルからなり、図９に示すように、防音パネル２３は、ルーバー２４Ａによる開孔が形成された表面板２４が取り付けられた箱体２５内にグラスウール等の吸音材２６が入れられたものからなり、ルーバー２４Ａから箱体２５内に入った騒音を吸音材２６により吸収させることにより防音を図っている。
【０００３】
近年、このような防音壁においては、単に防音機能のみではなく、他の機能を兼ね備えることができる多目的防音壁が望まれている。例えば、環境保全の面から防音壁に緑化パネルを取り付けることが可能な多目的防音壁が望まれている。
【０００４】
緑化パネルの取り付けが可能な防音壁の一例が特許文献１（特開２００５−２１１０３５号公報）に開示されている。
【０００５】
以下、この防音壁を従来防音壁といい、図面を参照しながら説明する。
【０００６】
図１０は、従来防音壁の防音パネルへの緑化パネルの取り付け方法を示す分解斜視図、図１１は、従来防音壁を示す一部省略断面図である。
【０００７】
図１０および図１１において、２７は、ルーバー２８Ａが形成された表面板２８が取り付けられた箱体２９内にグラスウール等の吸音材３０が入れられた防音パネルである。３１は、防音パネル２７に取り付けられた緑化パネルである。緑化パネル３１は、取付枠３２に取り付けられた植栽育成用の多孔質のマット３３と、マット３３の外側面に配される、植栽を絡みつかせる金網３４とからなっている。
【０００８】
緑化パネル３１は、防音パネル２７に以下のようにして取り付けられる。
【０００９】
緑化パネル３１の上部は、図１１に示すように、取付枠３２の上端部を表面板２８にドリルビス３５をねじ込むことにより固定されている。緑化パネル３１の下部は、取付金具３６を介して防音パネル２７に取り付けられている。取付金具３６は、図１０に示すように、第１取付片３７と第２取付片３８とからなっている。第１取付片３７は、先端部にフック３９Ａが形成された傾斜係合片３９と、傾斜係合片３９と間隔をあけて配された押え片４０とからなっている。傾斜係合片３９と押え片４０とは、ボルト・ナット４１を締め付けることにより互いに接近するように構成されている。
【００１０】
取付金具３６により緑化パネル３１の下部を防音パネル２７に取り付けるには、先ず、傾斜係合片３９を表面板２８のルーバー２８Ａ間に挿入し、傾斜係合片３９のフック３９Ａをルーバー２８Ａの吸音材側縁部（Ｐ）に係止する。この後、ボルト・ナット４１を締め付けて、傾斜係合片３９と押え片４０とにより表面板２８を挟み込む。これにより取付金具３６は、表面板２８に固定される。このようにして、取付金具３６を表面板２８に固定したら、緑化パネル３１を取付金具３６に接近させて、緑化パネル３１の下部を第２取付片３８にボルト・ナット４２により固定する。
【先行技術文献】
【特許文献】
【００１１】
【特許文献１】特開２００５−２１１０３５号公報
【発明の概要】
【発明が解決しようとする課題】
【００１２】
以上のようにして、緑化パネル３１の上部は、ドリルビス３５により、下部は、取付金具３６により防音パネル２７に確実に取り付けられる。しかしながら、緑化パネル３１は、ドリルビス３５、ボルト・ナット４１、４２により取り付けねばならないので、緑化パネル３１の取り付けに時間がかかり、しかも、ドリルビス３５により、表面板２８を貫通させる加工を施す必要があった。
【００１３】
この発明の目的は、上記従来防音壁の有する問題点を解決し、防音パネルの表面および裏面の少なく一方の面に、緑化パネル等のパネル構造体を防音パネルに何らの加工を施すことなく、容易かつ確実に取り付けることができる多目的防音壁を提供することにある。
【課題を解決するための手段】
【００１４】
この発明は、上記目的を達成するためになされたものであって、下記を特徴とする。
【００１５】
請求項１に記載の発明は、上下多段に積み重ねられた防音パネルと、前記防音パネルの表面および裏面の少なくとも一方の面に、取付金具を介して取り付けられたパネル構造体とからなる多目的防音壁において、前記取付金具は、前記防音パネルの表面側および裏面側の少なくとも一方から突出する突出片を有し、前記取付金具は、下段の前記防音パネルと上段の前記防音パネルとの当接面間に挟み込まれ、前記パネル構造体は、前記突出片を介して前記防音パネルに取り付けられていることに特徴を有するものである。
【００１６】
請求項２に記載の発明は、請求項１に記載の多目的防音壁において、前記取付金具は、板状で、前記当接面間に挟み込まれる当接部を有し、前記当接部は、前記当接面と合致する形状に形成され、前記当接部の少なくとも一方の幅方向端部には、垂直部が形成され、前記当接部と前記垂直部との接合部は折れ曲がっており、前記突出片は、前記取付金具の少なくとも一方の幅方向端部に形成されていることに特徴を有するものである。
【００１７】
請求項３に記載の発明は、請求項２に記載の多目的防音壁において、前記取付金具は、複数枚重ね合わされていることに特徴を有するものである。
【００１８】
請求項４に記載の発明は、請求項２または３に記載の多目的防音壁において、前記取付金具は、二分割され、一方の取付金具には、前記防音パネルの表面側から突出する突出片が形成され、他方の取付金具には、前記防音パネルの裏面側から突出する突出片が形成され、前記一方の取付金具および前記他方の取付金具の前記当接部は、重ね合わされていることに特徴を有するものである。
【００１９】
請求項５に記載の発明は、請求項４に記載の多目的防音壁において、前記一方の取付金具および前記他方の取付金具は、それぞれ複数枚重ね合わされていることに特徴を有するものである。
【００２０】
請求項６に記載の発明は、請求項２から５の何れか１つに記載の多目的防音壁において、前記当接部と前記垂直部側の前記突出片とは、着脱可能に分割されていることに特徴を有するものである。
【００２１】
請求項７に記載の発明は、請求項１から６の何れか１つに記載の多目的防音壁において、前記パネル構造体は、縦桟と横桟とを格子状に組んだものからなり、前記パネル構造体は、前記縦桟を前記突出片に穿孔した挿通孔に通すことによって、前記防音パネルに取り付けられていることに特徴を有するものである。
【００２２】
請求項８に記載の発明は、請求項１から７の何れか１つに記載の多目的防音壁において、前記パネル構造体に、植栽手段、広告手段、標識等の表示手段、または、ソーラーパネル等の太陽光発電手段が取り付けられていることに特徴を有するものである。
【００２３】
請求項９に記載の発明は、請求項１から６の何れか１つに記載の多目的防音壁において、前記パネル構造体は、板状に形成され、板状の前記パネル構造体の上下端には、突起を有し、前記パネル構造体は、前記突起を前記突出片に穿孔した挿通孔に通すことによって、前記防音パネルに取り付けられていることに特徴を有するものである。
【００２４】
請求項１０に記載の発明は、請求項９に記載の多目的防音壁において、前記パネル構造体は、植栽手段、広告手段、標識等の表示手段、ソーラーパネル等の太陽光発電手段であることに特徴を有するものである。
【００２５】
請求項１１に記載の発明は、請求項９または１０に記載の多目的防音壁において、前記パネル構造体は、湾曲可能で復元力を有していることに特徴を有するものである。
【発明の効果】
【００２６】
この発明によれば、防音パネルの表面および裏面の少なく一方の面に、緑化パネル等のパネル構造体を防音パネルに何らの加工を施すことなく、容易かつ確実に取り付けることができる。
【図面の簡単な説明】
【００２７】
【図１】この発明の多目的防音壁を示す一部省略断面図である。
【図２】この発明の多目的防音壁の取付金具を示す平面図である。
【図３】この発明の多目的防音壁の取付金具を示す側面図である。
【図４】この発明の多目的防音壁の別の取付金具を示す図であり、（ａ）は、一方の取付金具を示す側面図、（ｂ）は、他方の取付金具を示す側面図である。
【図５】この発明のさらに別の多目的防音壁の別の取付金具を示す側面図である。
【図６】この発明のさらに別の多目的防音壁の別の取付金具を示す側面図である。
【図７】この発明の多目的防音壁の取付金具を重ねて使用する場合を示す側面図である。
【図８】この発明の多目的防音壁の取付金具への板状パネル構造体の取り付け方法を示す斜視図である。
【図９】防音壁を示す一部省略斜視図である。
【図１０】従来防音壁の防音パネルへの緑化パネルの取り付け方法を示す分解斜視図である。
【図１１】従来防音壁を示す一部省略断面図である。
【発明を実施するための形態】
【００２８】
この発明の多目的防音壁の一実施態様を、図面を参照しながら説明する。
【００２９】
図１は、この発明の多目的防音壁を示す一部省略断面図であり、図２は、この発明の多目的防音壁の取付金具としての板材を示す平面図、図３は、この発明の多目的防音壁の取付金具を示す側面図である。
【００３０】
図１および図２において、１は、防音パネルである。防音パネル１は、ルーバー３による開孔が形成された表面板２が取り付けられた箱体４内にグラスウール等の吸音材５が入れられたものからなっている。防音壁（図示せず）は、防音パネル１をＨ形鋼からなる支柱（図示せず）間に、この支柱の上方からＨ形鋼のフランジ間に挿入して、上下多段に積み重ねることによって構築されている。
【００３１】
７は、パネル構造体としての金網であり、後述する取付金具を介して防音パネル１の表面（表面板側の面）および裏面（表面板と反対側の面）に取り付けられている。金網７は、縦桟７Ａと横桟７Ｂとを格子状に組んだものからなっている。
【００３２】
金網７は、金属製の丸棒の丸棒を溶接して構成されたものでも、プラスチック等の樹脂製で縦桟と横桟が一体的に形成されたものでも良く、横桟と縦桟とで構成されたものであれば、材質は特に限定されない。
【００３３】
防音パネル１と金網７との間に、植栽育成用の多孔質材料からなる植栽手段としてのマット６を挟み込めば、蔦系の植栽がマット６に根付き、パネル構造体としての金網７に蔦等が絡み、容易に防音壁を緑化することができる。マット６は、予め金網７に番線等で縦桟７Ａ、横桟７Ｂまたは縦桟７Ａと横桟７Ｂとが交差する箇所に取り付けておいても良い。なお、マット６を防音パネル１の表面に取り付けてもマット６は多孔質であるので、防音効果が低下する恐れはない。
【００３４】
８は、図２および図３に示すように、防音パネル１の長手方向に長い板状の取付金具である。取付金具８は、その幅方向中央部が下段の防音パネル１Ａと下段の防音パネル１Ａ上に積み重ねられる上段の防音パネル１Ｂとの当接面間に挟み込まれ、防音パネル１の表面および裏面に金網７を取り付ける機能を有している。取付金具８の前記当接面間に挟み込まれる当接部８Ａは、前記当接面と合致する形状に形成されている。すなわち、取付金具８の幅方向中央部には、防音パネル１の表面側に向って登り傾斜の当接部８Ａと、当接部８Ａの頂部（端部）から下方に折れ曲がる垂直部８Ｂとが形成されている。取付金具８の幅方向の一方の端部には、防音パネル１の表面側から突出する一方の突出片９が形成され、取付金具８の幅方向の他方の端部には、防音パネル１の裏面側から突出する他方の突出片１０が形成されている。一方および他方の突出片９、１０には、金網７の縦桟７Ａの端部が挿入される挿通孔９Ａ、１０Ａが縦桟７Ａの間隔と同一間隔をあけて穿孔されている。
【００３５】
このように構成されている、この発明において、防音パネル１にパネル構造体としての金網７を取り付けるには、下段の防音パネル１Ａ上に上段の防音パネル１Ｂを積み重ねる際に、取付金具８を下段の防音パネル１Ａと上段の防音パネル１Ｂとの当接面間に挟み込む。取付金具８は、上段の防音パネル１Ｂにより上から押えられると共に、当接面と合致する形状に形成されていると共に、垂直部８Ｂが形成されているので、前記当接面間から容易に抜け出る恐れはない。また、上段の防音パネル１Ｂと下段の防音パネル１Ａの当接面間に挟み込む際に、当接部８Ａと垂直部８Ｂとの接合部が折れ曲がっているので、防音パネルの角部に当接部８Ａと垂直部８Ｂの接合部をあてがうことにより、取付金具８の幅方向の位置決めが容易に行える。従って、防音パネル１と金網７とは、所定の間隔をおいて配置することができる。また、当接部８Ａと垂直部８Ｂとが屈曲形成されているので、取付金具８の強度が向上し、金網７の保持能力が向上する。そして、金網７が防音パネル１の表裏面にあてがわれるように、防音パネル１の表裏面側から突出する突出片９、１０の挿通孔９Ａ、１０Ａに金網７の縦桟７Ａをそれぞれ挿入すれば、防音パネル１に何らの加工を施すことなく、防音パネル１の表裏両面に金網７を容易かつ確実に取り付けることができる。
【００３６】
上記取付金具８を、図４に示すように、一方の取付金具１１と他方の取付金具１２とに二分割しても良い。すなわち、図４（ａ）に示すように、一方の取付金具１１は、防音パネル１の表面側から突出する突出片１３と当接部１１Ａと垂直部１１Ｂとが形成されたものからなっている。図４（ｂ）に示すように、他方の取付金具１２は、防音パネル１の裏面側から突出する突出片１４と当接部１２Ａと垂直部１２Ｂとが形成されたものからなっている。一方の取付金具１１の当接部１１Ａおよび垂直部１１Ｂは、他方の取付金具１２の当接部１２Ａおよび垂直部１２Ｂと合致する。突出片１３、１４には、金網７の縦桟７Ａの挿通孔１３Ａ、１４Ａが縦桟７Ａの間隔と同一間隔をあけて穿孔されている。
【００３７】
二分割された取付金具１１、１２により防音パネル１に金網７を取り付けるには、下段の防音パネル１Ａと上段の防音パネル１Ｂとの当接面間に、一方の取付金具１１と他方の取付金具１２の当接部１１Ａ、１２Ａを重ね合わせて挟み込む、取付金具８の場合と同様に、突出片１３、１４に形成された挿通孔１３Ａ、１４Ａ内に金網７の縦桟７Ａをそれぞれ挿入すれば良い。重ね合わされた取付金具を防音パネル幅方向にずれないように、ストッパによるずれ防止やビスなどにより固定しても良い。
【００３８】
防音パネル１の表面側にのみ金網７を取り付けるには、一方の取付金具１１のみを使用すれば良く、防音パネル１の裏面側にのみ金網７を取り付けるには、他方の取付金具１２のみを使用すれば良い。
【００３９】
以上は、防音パネルが長手方向に長く一体で構成した例であるが、短尺のものを複数枚並べて使用しても良い。
【００４０】
取付金具８は、段積みされる防音パネル１の当接面が上記例のように傾斜面ではなく水平面である場合には、防音パネル１の当接面に合わせて、図５に示すように、ハット形に形成する。
【００４１】
図６に示すように、防音パネル１の表面側にのみ金網７を取り付ける場合、取付金具８を、当接部８Ａと垂直部８Ｂ側の突出片９とに、ボルト等の結合手段により着脱可能に分割すれば、金網７を修繕や保守のために取り外す際、取付金具８の当接部８Ａは、そのままにし、突出片９のみを当接部８Ａから取り外すことによって、容易に金網７の交換が行える。
【００４２】
図７に示すように、取付金具８を複数枚重ね合わせて使用しても良い。この場合には、上部の取付金具８に上段の防音パネルの金網を取り付け、下部の取付金具８に下段の防音パネルの金網を、それぞれ別々に取り付けることができる。これは、図４および図６に示す場合についても適用可能である。
【００４３】
この発明によれば、パネル構造体としての金網７を防音パネル１に何らの加工を施すことなく、容易に取り付けることができるので、金網７を利用して、図１に示すように、植栽手段としてのマット６を防音パネルに容易に取り付け、蔦が金網７に絡むことで防音壁を緑化することや、緑化以外に、広告手段、道路標識等の何らかの表示手段あるいは太陽光発電手段等を金網７に取り付けることもできる。
【００４４】
また、植栽手段、広告手段、標識等の表示手段、ソーラーパネル等の太陽光発電手段を板状パネル構造体Ａとして、防音パネル１に直接取り付けても良い。この場合には、図８に示すように、取付金具８の例えば、一方の突出片９に形成された挿入孔９Ａに、板状パネル構造体Ａの上下端部に形成した突起１５を挿入することによって取り付けても良い。この場合、板状パネル構造体Ａを湾曲可能で復元力を有するものとすれば、取付金具８を先に取り付けておき、後付けで板状パネル構造体Ａを湾曲させて取付金具８に取り付けることができる。しかも、板状パネル構造体Ａのみを取り外すことができる。これは、パネル構造体が金網７の場合にも言える。
【符号の説明】
【００４５】
１：防音パネル
１Ａ：下段の防音パネル
１Ｂ：上段の防音パネル
２：表面板
３：ルーバー
４：箱体
５：吸音材
６：マット
７：金網
７Ａ：縦桟
７Ｂ：横桟
８：取付金具
８Ａ：当接部
８Ｂ：垂直部
９：一方の突出片
９Ａ：挿通孔
１０：他方の突出片
１０Ａ：挿通孔
１１：一方の取付金具
１１Ａ：傾斜面
１１Ｂ：垂直面
１２：他方の取付金具
１２Ａ：傾斜面
１２Ｂ：垂直面
１３：突出片
１３Ａ：挿通孔
１４：突出片
１４Ａ：挿通孔
２３：防音パネル
２４：表面板
２５：箱体
２６：吸音材
２７：防音パネル
２８：表面板
２９：箱体
３０：吸音材
３１：緑化パネル
３２：取付枠
３３：マット
３４：金網
３５：ドリルビス
３６：取付金具
３７：第１取付片
３８：第２取付片
３９：傾斜係合片
３９Ａ：フック
４０：押え片
４１：ボルト・ナット
４２：ボルト・ナット
【図１】
2010248829.tif 000003
【図２】
2010248829.tif 000004
【図３】
2010248829.tif 000005
【図４】
2010248829.tif 000006
【図５】
2010248829.tif 000007
【図６】
2010248829.tif 000008
【図７】
2010248829.tif 000009
【図８】
2010248829.tif 000010
【図９】
2010248829.tif 000011
【図１０】
2010248829.tif 000012
【図１１】
2010248829.tif 000013